(57)【要約】      （修正有）【課題】回線の識別性を向上できる光ファイバ接続用クロージャを提供する。【解決手段】クロージャのトレイユニット７は、光ファイバテープ心線３と内部ファイバテープ心線２３との接続部分、及び光ファイバテープ心線５と内部ファイバテープ心線２４との接続部分を収容するテープ接続トレイ１０と、内部ファイバテープ心線２３を複数のファイバコードに分岐する分岐部、及び内部ファイバテープ心線２４を複数のファイバコード３３ａ，３３ｂ，３３ｃ，３３ｄに分岐する分岐部を収容する分岐トレイ１１と、ＣＡＴＶ回線用コード３１ａ，３１ｂとＣＡＴＶ回線用コード３３ａとの接続部分を収容するＣＡＴＶ回線トレイ１２，１３と、監視回線用コード３１ｃと監視回線用コード３３ｂ，３３ｃとの接続部分を収容する監視回線トレイ１４，１５と、ＦＴＴＨ回線用コード３１ｄとＦＴＴＨ専用コード６６との接続部分を収容するＦＴＴＨ回線トレイ１６と、を有する。【選択図】図２
2019168544.tif 000002
【特許請求の範囲】
【請求項１】
第１光ケーブルの第１光ファイバテープ心線と第２光ケーブルの第２光ファイバテープ心線とを接続する光ファイバ接続用クロージャであって、
支持体と、
前記支持体に手前側に引き出し可能に支持された複数段構造のトレイユニットと、を備え、
前記トレイユニットは、
前記第１光ファイバテープ心線と第１内部ファイバテープ心線との接続部分を収容すると共に、前記第２光ファイバテープ心線と第２内部ファイバテープ心線との接続部分を収容する第１トレイと、
前記第１内部ファイバテープ心線を複数の第１ファイバコードに分岐する第１分岐部を収容すると共に、前記第２内部ファイバテープ心線を複数の第２ファイバコードに分岐する第２分岐部を収容する第２トレイと、
前記複数の第１ファイバコードのうちの第１ＣＡＴＶ回線用コードと前記複数の第２ファイバコードのうちの第２ＣＡＴＶ回線用コードとの接続部分を収容する第３トレイと、
前記複数の第１ファイバコードのうちの第１監視回線用コードと前記複数の第２ファイバコードのうちの第２監視回線用コードとの接続部分を収容する第４トレイと、
前記複数の第１ファイバコードのうちのＦＴＴＨ回線用コードとＦＴＴＨ専用の光ファイバコードとの接続部分を収容する第５トレイと、
を有し、
前記第１トレイ、前記第２トレイ、前記第３トレイ、前記第４トレイ及び前記第５トレイは、上下方向に回動可能である光ファイバ接続用クロージャ。
【請求項２】
前記第１トレイは、前記トレイユニットの最上段に配置されており、
前記第２トレイは、前記第１トレイの１段下に配置されており、
前記第３トレイ及び前記第４トレイは、前記第２トレイの下段側に配置されており、
前記第５トレイは、前記第３トレイ及び前記第４トレイの下段側に配置されている請求項１記載の光ファイバ接続用クロージャ。
【請求項３】
前記第１トレイの手前側には、前記第１光ファイバテープ心線及び前記第２光ファイバテープ心線が導入される第１導入部が設けられており、
前記第１トレイの奥側には、前記第１内部ファイバテープ心線及び前記第２内部ファイバテープ心線が導入される第２導入部が設けられており、
前記第２トレイの手前側には、前記第１内部ファイバテープ心線及び前記第２内部ファイバテープ心線が導出される第１導出部が設けられており、
前記第２トレイの奥側には、前記第１ファイバコード及び前記第２ファイバコードが導出される第２導出部が設けられており、
前記第３トレイ、前記第４トレイ及び前記第５トレイの手前側には、前記第１ファイバコード及び前記第２ファイバコードが導入される第３導入部が設けられている請求項２記載の光ファイバ接続用クロージャ。
【請求項４】
前記トレイユニットは７段構造である請求項２または３記載の光ファイバ接続用クロージャ。
【請求項５】
前記第３トレイ及び前記第４トレイの段数は、２段であり、
前記第１ＣＡＴＶ回線用コードと前記第２ＣＡＴＶ回線用コードとは、構成が異なる複数種類の第１光部品モジュールを介して接続されており、
前記複数種類の第１光部品モジュールは、異なる段の前記第３トレイに収容されており、
前記第１監視回線用コードと前記第２監視回線用コードとは、第２光部品モジュール及び光コネクタアダプタを介して接続されており、
前記第２光部品モジュール及び前記光コネクタアダプタは、異なる段の前記第４トレイに収容されており、
前記第５トレイは、前記トレイユニットの最下段に配置されている請求項４記載の光ファイバ接続用クロージャ。
【請求項６】
前記第３トレイの段数は、１段であり、
前記第１ＣＡＴＶ回線用コードと前記第２ＣＡＴＶ回線用コードとは、光部品を介して接続されており、
前記第４トレイの段数は、２段であり、
前記第１監視回線用コードと前記第２監視回線用コードとは、光部品モジュール及び光コネクタアダプタを介して接続されており、
前記光部品モジュール及び前記光コネクタアダプタは、異なる段の前記第４トレイに収容されており、
前記トレイユニットの最下段には、前記複数の第２ファイバコードのうちの保留回線用コードが収容された第６トレイが配置されている請求項４記載の光ファイバ接続用クロージャ。
【請求項７】
前記第１ＣＡＴＶ回線用コードと前記光部品の入力部とは融着接続されており、
前記第２ＣＡＴＶ回線用コードと前記光部品の出力部とは融着接続されている請求項６記載の光ファイバ接続用クロージャ。
【発明の詳細な説明】
【技術分野】
【０００１】
本発明は、光ファイバ接続用クロージャに関する。
【背景技術】
【０００２】
従来の光ファイバ接続用クロージャとしては、例えば特許文献１に記載されている技術が知られている。特許文献１に記載の光ファイバ接続用クロージャは、光ケーブルから引き落とされる光ファイバとテープ心線とのコネクタ接続部を収納する下部伸ばし成端トレイと、光ケーブルから引き落とされる光ファイバとＤＳ／Ｒ・ＴＤケーブルとのコネクタ接続部を収納するＤＳ／Ｒ・ＴＤ成端トレイと、光ケーブルから引き落とされる光ファイバとドロップケーブルとのコネクタ接続部を収納するドロップ成端トレイと、スプリッタモジュールを収納するスプリッタトレイとを備えている。これらの成端トレイ及びスプリッタトレイは、重ねた状態でトレイ固定ベースに摺動自在に設けたトレイ取付部に回動自在に枢着されている。
【先行技術文献】
【特許文献】
【０００３】
【特許文献１】特開２００７−１２１６０３号公報
【発明の概要】
【発明が解決しようとする課題】
【０００４】
上記従来技術においては、必要な数のコネクタ接続部を収容するために、コネクタ接続部を複数の成端トレイに分散させている。しかし、ＣＡＴＶ回線及び監視回線といった種別が異なる複数の回線が使用される場合、光スプリッタ等の光部品及びコネクタ接続部が回線種別毎に分離して収容されていないと、回線の識別性に劣り、切替接続作業等が行いにくくなる。
【０００５】
本発明の目的は、回線の識別性を向上させることができる光ファイバ接続用クロージャを提供することである。
【課題を解決するための手段】
【０００６】
本発明の一側面は、第１光ケーブルの第１光ファイバテープ心線と第２光ケーブルの第２光ファイバテープ心線とを接続する光ファイバ接続用クロージャであって、支持体と、支持体に手前側に引き出し可能に支持された複数段構造のトレイユニットと、を備え、トレイユニットは、第１光ファイバテープ心線と第１内部ファイバテープ心線との接続部分を収容すると共に、第２光ファイバテープ心線と第２内部ファイバテープ心線との接続部分を収容する第１トレイと、第１内部ファイバテープ心線を複数の第１ファイバコードに分岐する第１分岐部を収容すると共に、第２内部ファイバテープ心線を複数の第２ファイバコードに分岐する第２分岐部を収容する第２トレイと、複数の第１ファイバコードのうちの第１ＣＡＴＶ回線用コードと複数の第２ファイバコードのうちの第２ＣＡＴＶ回線用コードとの接続部分を収容する第３トレイと、複数の第１ファイバコードのうちの第１監視回線用コードと複数の第２ファイバコードのうちの第２監視回線用コードとの接続部分を収容する第４トレイと、複数の第１ファイバコードのうちのＦＴＴＨ回線用コードとＦＴＴＨ専用の光ファイバコードとの接続部分を収容する第５トレイと、を有し、第１トレイ、第２トレイ、第３トレイ、第４トレイ及び第５トレイは、上下方向に回動可能である。
【発明の効果】
【０００７】
本発明によれば、回線の識別性を向上させることができる。
【図面の簡単な説明】
【０００８】
【図１】本発明の第１実施形態に係る光ファイバ接続用クロージャを示す略正面図である。
【図２】図１に示されたトレイユニットの配線形態を全体的に示す概念図である。
【図３】図１に示された光ファイバ接続用クロージャを上方から見た斜視図である。
【図４】図１に示されたテープ接続トレイの平面図である。
【図５】図１に示された光ファイバ接続用クロージャにおいて分岐トレイが露出した状態を示す斜視図である。
【図６】図１に示された光ファイバ接続用クロージャにおいて上側のＣＡＴＶ回線トレイが露出した状態を示す斜視図である。
【図７】図６に示された光カプラモジュールがポップアップした状態を示す拡大斜視図である。
【図８】図２に示された分岐トレイとＣＡＴＶ回線トレイとの間におけるＣＡＴＶ回線用コードの配線形態を示す図である。
【図９】図１に示された光ファイバ接続用クロージャにおいて上側の監視回線トレイが露出した状態を示す斜視図である。
【図１０】図１に示された光ファイバ接続用クロージャにおいて下側の監視回線トレイが露出した状態を示す斜視図である。
【図１１】図１０に示された監視回線トレイにおける光コネクタアダプタを含む領域を示す拡大斜視図である。
【図１２】図２に示された上下の監視回線トレイの間における監視回線用コードの配線形態を示す図である。
【図１３】図１に示された光ファイバ接続用クロージャにおいてＦＴＴＨ回線トレイが露出した状態を示す斜視図である。
【図１４】図２に示された分岐トレイとＦＴＴＨ回線トレイとの間におけるＦＴＴＨ回線用コード及びＦＴＴＨ専用コードの配線形態を示す図である。
【図１５】本発明の第２実施形態に係る光ファイバ接続用クロージャを示す略正面図である。
【図１６】図１５に示されたトレイユニットの配線形態を全体的に示す概念図である。
【図１７】図１５に示されたＣＡＴＶ回線トレイの斜視図である。
【図１８】図１６に示された分岐トレイとＣＡＴＶ回線トレイ及び保留トレイとの間におけるＣＡＴＶ回線用コード及び保留回線用コードの配線形態を示す図である。
【発明を実施するための形態】
【０００９】
[本発明の実施形態の説明]
最初に、本発明の実施形態を列記して説明する。
【００１０】
本発明の一側面は、第１光ケーブルの第１光ファイバテープ心線と第２光ケーブルの第２光ファイバテープ心線とを接続する光ファイバ接続用クロージャであって、支持体と、支持体に手前側に引き出し可能に支持された複数段構造のトレイユニットと、を備え、トレイユニットは、第１光ファイバテープ心線と第１内部ファイバテープ心線との接続部分を収容すると共に、第２光ファイバテープ心線と第２内部ファイバテープ心線との接続部分を収容する第１トレイと、第１内部ファイバテープ心線を複数の第１ファイバコードに分岐する第１分岐部を収容すると共に、第２内部ファイバテープ心線を複数の第２ファイバコードに分岐する第２分岐部を収容する第２トレイと、複数の第１ファイバコードのうちの第１ＣＡＴＶ回線用コードと複数の第２ファイバコードのうちの第２ＣＡＴＶ回線用コードとの接続部分を収容する第３トレイと、複数の第１ファイバコードのうちの第１監視回線用コードと複数の第２ファイバコードのうちの第２監視回線用コードとの接続部分を収容する第４トレイと、複数の第１ファイバコードのうちのＦＴＴＨ回線用コードとＦＴＴＨ専用の光ファイバコードとの接続部分を収容する第５トレイと、を有し、第１トレイ、第２トレイ、第３トレイ、第４トレイ及び第５トレイは、上下方向に回動可能である。
【００１１】
このような光ファイバ接続用クロージャにおいては、複数の第１光ファイバコードのうちの第１ＣＡＴＶ回線用コードと複数の第２光ファイバコードのうちの第２ＣＡＴＶ回線用コードとの接続部分は、第３トレイに収容されている。複数の第１光ファイバコードのうちの第１監視回線用コードと複数の第２光ファイバコードのうちの第２監視回線用コードとの接続部分は、第４トレイに収容されている。複数の第１光ファイバコードのうちのＦＴＴＨ回線用コードとＦＴＴＨ専用の光ファイバコードとの接続部分は、第５トレイに収容されている。このようにＣＡＴＶ回線、監視回線及びＦＴＴＨ回線は、回線種別毎に異なるトレイに分離して収容されている。これにより、回線の識別性が向上する。
【００１２】
第１トレイは、トレイユニットの最上段に配置されており、第２トレイは、第１トレイの１段下に配置されており、第３トレイ及び第４トレイは、第２トレイの下段側に配置されており、第５トレイは、第３トレイ及び第４トレイの下段側に配置されていてもよい。光ファイバ接続用クロージャの設置時には、第１トレイにおいてのみ接続作業が行われることになるが、第１トレイをトレイユニットの最上段に配置することにより、広い作業空間が確保されるため、接続作業が行いやすくなる。また、第１トレイをトレイユニットの最上段に配置することにより、第１光ファイバテープ心線及び第２光ファイバテープ心線と第１ファイバコード及び第２ファイバコードとが交錯することがない。
【００１３】
第１トレイの手前側には、第１光ファイバテープ心線及び第２光ファイバテープ心線が導入される第１導入部が設けられており、第１トレイの奥側には、第１内部ファイバテープ心線及び第２内部ファイバテープ心線が導入される第２導入部が設けられており、第２トレイの手前側には、第１内部ファイバテープ心線及び第２内部ファイバテープ心線が導出される第１導出部が設けられており、第２トレイの奥側には、第１ファイバコード及び第２ファイバコードが導出される第２導出部が設けられており、第３トレイ、第４トレイ及び第５トレイの手前側には、第１ファイバコード及び第２ファイバコードが導入される第３導入部が設けられていてもよい。このような構成では、第１トレイ及び第２トレイにおいて、異なる種類の光ファイバが混在して輻輳することが防止される。
【００１４】
トレイユニットは７段構造であってもよい。このような構成では、ＣＡＴＶ回線、監視回線及びＦＴＴＨ回線を使用形態に応じて適切に配線することができる。
【００１５】
第３トレイ及び第４トレイの段数は、２段であり、第１ＣＡＴＶ回線用コードと第２ＣＡＴＶ回線用コードとは、構成が異なる複数種類の第１光部品モジュールを介して接続されており、複数種類の第１光部品モジュールは、異なる段の第３トレイに収容されており、第１監視回線用コードと第２監視回線用コードとは、第２光部品モジュール及び光コネクタアダプタを介して接続されており、第２光部品モジュール及び光コネクタアダプタは、異なる段の第４トレイに収容されており、第５トレイは、トレイユニットの最下段に配置されていてもよい。このような構成では、ＣＡＴＶ回線及び監視回線を必要な数だけ効率良く配線することができる。また、ＦＴＴＨ回線は、ＣＡＴＶ回線及び監視回線に比べて接続切替作業を行う頻度が低い。従って、第５トレイをトレイユニットの最下段に配置するのが妥当である。
【００１６】
第３トレイの段数は、１段であり、第１ＣＡＴＶ回線用コードと第２ＣＡＴＶ回線用コードとは、光部品を介して接続されており、第４トレイの段数は、２段であり、第１監視回線用コードと第２監視回線用コードとは、光部品モジュール及び光コネクタアダプタを介して接続されており、光部品モジュール及び光コネクタアダプタは、異なる段の第４トレイに収容されており、トレイユニットの最下段には、複数の第２ファイバコードのうちの保留回線用コードが収容された第６トレイが配置されていてもよい。このような構成でも、ＣＡＴＶ回線及び監視回線を必要な数だけ効率良く配線することができる。また、保留回線用コードは設置当初は通常使用されないため、第６トレイをトレイユニットの最下段に配置するのが好ましい。
【００１７】
第１ＣＡＴＶ回線用コードと光部品の入力部とは融着接続されており、第２ＣＡＴＶ回線用コードと光部品の出力部とは融着接続されていてもよい。このような構成では、クロージャ内のＣＡＴＶ回線を伝送する際のロスが低下するため、信号到達距離を改善することができる。
[本発明の実施形態の詳細]
【００１８】
以下、本発明の実施形態について、図面を参照して詳細に説明する。なお、図面において、同一または同等の要素には同じ符号を付し、重複する説明を省略する。
【００１９】
図１は、本発明の第１実施形態に係る光ファイバ接続用クロージャを示す略正面図である。図１において、本実施形態の光ファイバ接続用クロージャ１（以下、単にクロージャ１という）は、例えばＨＦＣ（Hybrid fiber-coaxial）の配線方式に適用される。クロージャ１は、架空において局側の光ケーブル２（第１光ケーブル）の光ファイバテープ心線３（第１光ファイバテープ心線）と加入者側の光ケーブル４（第２光ケーブル）の光ファイバテープ心線５（第２光ファイバテープ心線）とを接続する。
【００２０】
クロージャ１は、支持体６と、この支持体６に手前側（正面側）に引き出し可能に支持された７段構造のトレイユニット７とを備えている。支持体６及びトレイユニット７は、クロージャケース（図示せず）に収容されている。クロージャケースの両端部には、シール部材８がそれぞれ取り付けられている。光ケーブル２，４は、シール部材８を貫通してクロージャ１の内部に導入される。
【００２１】
トレイユニット７は、図２にも示されるように、テープ接続トレイ１０、分岐トレイ１１、２段のＣＡＴＶ回線トレイ１２，１３、２段の監視回線トレイ１４，１５及びＦＴＴＨ回線トレイ１６からなるトレイ群１７を有している。
【００２２】
テープ接続トレイ１０は、トレイユニット７の最上段に配置されている。分岐トレイ１１は、テープ接続トレイ１０の１段下、つまりトレイユニット７の上から２段目に配置されている。ＣＡＴＶ回線トレイ１２は、分岐トレイ１１の１段下、つまりトレイユニット７の上から３段目に配置されている。ＣＡＴＶ回線トレイ１３は、ＣＡＴＶ回線トレイ１２の１段下、つまりトレイユニット７の上から４段目に配置されている。監視回線トレイ１４は、ＣＡＴＶ回線トレイ１３の１段下、つまりトレイユニット７の上から５段目に配置されている。監視回線トレイ１５は、監視回線トレイ１４の１段下、つまりトレイユニット７の上から６段目に配置されている。ＦＴＴＨ回線トレイ１６は、監視回線トレイ１５の１段下、つまりトレイユニット７の最下段に配置されている。
【００２３】
テープ接続トレイ１０、分岐トレイ１１、ＣＡＴＶ回線トレイ１２，１３、監視回線トレイ１４，１５及びＦＴＴＨ回線トレイ１６は、それぞれ独立して２つの軸部１８を介して上下方向に回動可能となっている。なお、図示はしないが、支持体６には、テープ接続トレイ１０、分岐トレイ１１、ＣＡＴＶ回線トレイ１２，１３、監視回線トレイ１４，１５及びＦＴＴＨ回線トレイ１６を上方に回動させた状態に保持する紐状の留め具が取り付けられている。
【００２４】
トレイユニット７は、図３に示されるように、トレイ群１７の後部に配置された突起１９を有している。なお、図３では、テープ接続トレイ１０を省略している。突起１９の上面には、ガイド部２０が設けられている。支持体６には、ガイド部２０が嵌まるガイドレール２１が設けられている。ガイドレール２１は、前後方向に延びている。ガイド部２０がガイドレール２１に沿って移動することで、トレイユニット７が前後方向に進退する。これにより、トレイユニット７を全体的に手前側に引き出すことが可能となる。
【００２５】
テープ接続トレイ１０は、図４に示されるように、光ファイバテープ心線３と内部ファイバテープ心線２３（第１内部ファイバテープ心線）との接続部分を収容すると共に、光ファイバテープ心線５と内部ファイバテープ心線２４（第２内部ファイバテープ心線）との接続部分を収容する第１トレイである。ここでは、光ファイバテープ心線３，５及び内部ファイバテープ心線２３，２４の心数は、何れも４心である。
【００２６】
テープ接続トレイ１０の一端部の手前側には、光ファイバテープ心線３が導入される導入部２５（第１導入部）が設けられている。テープ接続トレイ１０の他端部の手前側には、光ファイバテープ心線５が導入される導入部２６（第１導入部）が設けられている。テープ接続トレイ１０の一端部の奥側には、内部ファイバテープ心線２３が導入される導入部２７（第２導入部）が設けられている。テープ接続トレイ１０の他端部の奥側には、内部ファイバテープ心線２４が導入される導入部２８（第２導入部）が設けられている。
【００２７】
光ファイバテープ心線３と内部ファイバテープ心線２３とは、融着接続されている。光ファイバテープ心線５と内部ファイバテープ心線２４とは、融着接続されている。テープ接続トレイ１０には、光ファイバテープ心線３と内部ファイバテープ心線２３との融着接続部２９と、光ファイバテープ心線５と内部ファイバテープ心線２４との融着接続部３０とが、光ファイバテープ心線３，５及び内部ファイバテープ心線２３，２４の余長と共に収容されている。なお、図示はしないが、テープ接続トレイ１０には、透明のカバーが被せられている。
【００２８】
分岐トレイ１１は、図３及び図５に示されるように、内部ファイバテープ心線２３を複数本（ここでは４本）のファイバコード３１（第１ファイバコード）に分岐する分岐部３２（第１分岐部）を収容すると共に、内部ファイバテープ心線２４を複数本（ここでは４本）のファイバコード３３（第２ファイバコード）に分岐する分岐部３４（第２分岐部）を収容する第２トレイである。分岐部３２としては、例えば現用系が１つ又は２つ存在し、ＦＴＴＨ（Fiberto the Home）用が１つ存在している。分岐部３４としては、例えば８つ存在している。
【００２９】
分岐トレイ１１の中央部の一方側には、分岐部３２を固定する分岐部固定部３５が設けられている。分岐トレイ１１の中央部の他方側には、分岐部３４を固定する分岐部固定部３６が設けられている。分岐部固定部３５，３６は、例えば４列２段構造を有している。また、分岐トレイ１１の中央部には、２つのＲガイド部３７が設けられている。分岐トレイ１１の両端部には、Ｒガイド部３８がそれぞれ設けられている。
【００３０】
分岐トレイ１１の一端部の手前側には、内部ファイバテープ心線２３が導出される導出部３９（第１導出部）が設けられている。分岐トレイ１１の他端部の手前側には、内部ファイバテープ心線２４が導出される導出部４０（第１導出部）が設けられている。分岐トレイ１１の両端部の奥側には、各ファイバコード３１，３３が導出される導出部４１（第２導出部）がそれぞれ設けられている。
【００３１】
分岐トレイ１１には、内部ファイバテープ心線２３，２４及びファイバコード３１，３３がＲガイド部３７，３８に沿って収容されている。
【００３２】
ファイバコード３１は、図２に示されるように、ＣＡＴＶ（Common Antenna Television）回線として使用されるＣＡＴＶ回線用コード３１ａ，３１ｂと、監視回線として使用される監視回線用コード３１ｃと、ＦＴＴＨ回線として使用されるＦＴＴＨ回線用コード３１ｄとを含んでいる。ＣＡＴＶ回線用コード３１ａ，３１ｂは、例えばＮｏ  １、Ｎｏ  ２のファイバコード３１である。監視回線用コード３１ｃは、Ｎｏ  ３のファイバコード３１である。ＦＴＴＨ回線用コード３１ｄは、Ｎｏ  ４のファイバコード３１である。なお、上記Ｎｏは、光ファイバ（コード）の識別番号を便宜的に示している。
【００３３】
ファイバコード３３は、図２に示されるように、ＣＡＴＶ回線として使用されるＣＡＴＶ回線用コード３３ａと、監視回線として使用される監視回線用コード３３ｂ，３３ｃと、使用されない保留回線用コード３３ｄとを含んでいる。ＣＡＴＶ回線用コード３３ａは、例えばＮｏ  １のファイバコード３３である。監視回線用コード３３ｂ，３３ｃは、Ｎｏ  ２、Ｎｏ  ３のファイバコード３３である。保留回線用コード３３ｄは、Ｎｏ  ４のファイバコード３３である。
【００３４】
ＣＡＴＶ回線トレイ１２，１３は、ＣＡＴＶ回線用コード３１ａ，３１ｂとＣＡＴＶ回線用コード３３ａとの接続部分を収容する第３トレイである。ＣＡＴＶ回線用コード３１ａ，３１ｂとＣＡＴＶ回線用コード３３ａとは、光カプラモジュール４３、パッチコード４４及び光スプリッタモジュール４５を介して接続されている。光カプラモジュール４３及び光スプリッタモジュール４５は、種類が異なる第１光部品モジュールである。光カプラモジュール４３及び光スプリッタモジュール４５は、構成及び機能が異なっている。
【００３５】
光カプラモジュール４３は、ＣＡＴＶ下り回線を構成する光カプラが最小単位でモジュール化されている。光カプラは、例えば２×２カプラである。光スプリッタモジュール４５は、ＣＡＴＶ下り回線を構成する光スプリッタが最小単位でモジュール化されている。光スプリッタは、例えば１×４スプリッタである。光カプラモジュール４３及び光スプリッタモジュール４５は、パッチコード４４を介して直列に接続されている。パッチコード４４は、両端に光コネクタ（ここではＬＣコネクタ）が取り付けられた光ファイバコードである。
【００３６】
図６に示されるように、ＣＡＴＶ回線トレイ１２の一端側には、光カプラモジュール４３が収容されている。光カプラモジュール４３は、最大２つの光カプラを有している。ＣＡＴＶ回線トレイ１２の他端側には、空の保留用モジュール４６が収容されている。ＣＡＴＶ回線トレイ１２の中央部には、Ｒガイド部４７が設けられている。
【００３７】
光カプラモジュール４３の後端部（光コネクタ挿抜側とは反対側の端部）は、ＣＡＴＶ回線トレイ１２に軸部を介して回動可能に取り付けられている。これにより、図７に示されるように、光カプラモジュール４３の前端側（光コネクタ挿抜側）をポップアップさせることができる。従って、ＣＡＴＶ回線用コード３１ａ，３１ｂ及びパッチコード４４の光コネクタを挿抜するための空間が確保されるため、光カプラモジュール４３に対するＣＡＴＶ回線用コード３１ａ，３１ｂ及びパッチコード４４の挿抜が行いやすくなる。
【００３８】
ＣＡＴＶ回線トレイ１２の一端部の手前側には、ＣＡＴＶ回線用コード３１ａ，３１ｂが導入される導入部４８（第３導入部）が設けられている。ＣＡＴＶ回線トレイ１２の他端部の手前側には、保留回線用コード３３ｄが導入される導入部４９（第３導入部）が設けられている。ＣＡＴＶ回線トレイ１２の両端部の奥側には、パッチコード４４が導出される導出部５０がそれぞれ設けられている。
【００３９】
ＣＡＴＶ回線トレイ１３の一端側には、光スプリッタモジュール４５が収容されている。光スプリッタモジュール４５は、最大２つの光スプリッタを有している。光スプリッタモジュール４５は、光カプラモジュール４３と同様にポップアップ可能となるようにＣＡＴＶ回線トレイ１３に回動可能に取り付けられている。ＣＡＴＶ回線トレイ１３の中央部には、Ｒガイド部５１が設けられている。
【００４０】
ＣＡＴＶ回線トレイ１３の一端部の手前側には、パッチコード４４が導入される導入部５２が設けられている。ＣＡＴＶ回線トレイ１３の他端部の手前側には、ＣＡＴＶ回線用コード３３ａが導入される導入部５３（第３導入部）が設けられている。
【００４１】
図８に示されるように、ＣＡＴＶ回線用コード３１ａ，３１ｂは、分岐トレイ１１からＣＡＴＶ回線トレイ１２に導かれ、光カプラモジュール４３にコネクタ接続されている。このとき、ＣＡＴＶ回線用コード３１ａ，３１ｂは、ＣＡＴＶ回線トレイ１２にＲガイド部４７に沿って収容されている。また、ＣＡＴＶ回線トレイ１２には、光カプラモジュール４３にコネクタ接続されたパッチコード４４がＲガイド部４７に沿って収容されている。パッチコード４４は、ＣＡＴＶ回線トレイ１２からＣＡＴＶ回線トレイ１３に導かれ、光スプリッタモジュール４５にコネクタ接続されている。このとき、パッチコード４４は、ＣＡＴＶ回線トレイ１３にＲガイド部５１に沿って収容されている。
【００４２】
ＣＡＴＶ回線用コード３３ａは、分岐トレイ１１からＣＡＴＶ回線トレイ１３に導かれ、光スプリッタモジュール４５にコネクタ接続されている。このとき、ＣＡＴＶ回線用コード３３ａは、ＣＡＴＶ回線トレイ１３にＲガイド部５１に沿って収容されている。
【００４３】
また、保留回線用コード３３ｄは、分岐トレイ１１からＣＡＴＶ回線トレイ１２に導かれ、保留用モジュール４６にコネクタ接続されている。このとき、保留回線用コード３３ｄは、ＣＡＴＶ回線トレイ１２にＲガイド部４７に沿って収容されている。
【００４４】
監視回線トレイ１４，１５は、監視回線用コード３１ｃと監視回線用コード３３ｂ，３３ｃとの接続部分を収容する第４トレイである。監視回線用コード３１ｃと監視回線用コード３３ｂ，３３ｃとは、光カプラモジュール５５（第２光部品モジュール）、パッチコード５６及び光コネクタアダプタ５７を介して接続されている。光カプラモジュール５５は、監視回線を構成する光カプラが最小単位でモジュール化されている。光カプラは、例えば２×２カプラ及び１×２カプラである。
【００４５】
図９に示されるように、監視回線トレイ１４の一端側には、光カプラモジュール５５が収容されている。光カプラモジュール５５は、最大２つの光カプラを有している。光カプラモジュール５５は、ポップアップ可能となるように監視回線トレイ１４に回動可能に取り付けられている。切替接続を行う場合には、監視回線内に光部品を割り入れる作業を伴う。このため、監視回線トレイ１４の他端側には、必要に応じて増設できるように空スペースが設けられている。監視回線トレイ１４の中央部には、Ｒガイド部５８が設けられている。
【００４６】
監視回線トレイ１４の両端部の手前側には、監視回線用コード３１ｃが導入される導入部５９（第３導入部）が設けられている。監視回線トレイ１４の両端部の奥側には、パッチコード５６が導出される導出部６０がそれぞれ設けられている。
【００４７】
図１０及び図１１に示されるように、監視回線トレイ１５の中央部には、複数組の光コンクタをそれぞれ接続可能な３つの光コネクタアダプタ５７が直列に並んで収容されている。監視回線トレイ１５の両端部には、Ｒガイド部６１がそれぞれ設けられている。監視回線トレイ１５の両端部の手前側には、監視回線用コード３３ｂ，３３ｃ及びパッチコード５６が導入される導入部６２（第３導入部）が設けられている。
【００４８】
光コネクタアダプタ５７には、監視回線用コード３３ｂ，３３ｃ及びパッチコード５６がコネクタ接続される。光コネクタアダプタ５７は、通常はフタ６３で覆われている。フタ６３は、監視回線トレイ１５に回動可能に取り付けられている。監視回線トレイ１５の底板には、光コネクタアダプタ５７を押し出して取り出すための３つの穴６４が設けられている。従って、光コネクタアダプタ５７に対する光コネクタの挿抜を容易に行うことができる。
【００４９】
図１２に示されるように、監視回線用コード３１ｃは、分岐トレイ１１から監視回線トレイ１４に導かれ、光カプラモジュール５５にコネクタ接続されている。このとき、監視回線用コード３１ｃは、監視回線トレイ１４にＲガイド部５８に沿って収容されている。また、監視回線トレイ１４には、光カプラモジュール５５にコネクタ接続されたパッチコード５６がＲガイド部５８に沿って収容されている。パッチコード５６は、監視回線トレイ１４から監視回線トレイ１５に導かれ、光コネクタアダプタ５７にコネクタ接続されている。このとき、パッチコード５６は、監視回線トレイ１５にＲガイド部６１に沿って収容されている。
【００５０】
監視回線用コード３３ｂ，３３ｃは、分岐トレイ１１から監視回線トレイ１５に導かれ、光コネクタアダプタ５７にコネクタ接続されている。このとき、監視回線用コード３３ｂ，３３ｃは、監視回線トレイ１５にＲガイド部６１に沿って収容されている。監視回線用コード３３ｂ，３３ｃ同士は、光コネクタアダプタ５７を介してカスケード接続されている。
【００５１】
ＦＴＴＨ回線トレイ１６は、ＦＴＴＨ回線用コード３１ｄとＦＴＴＨ専用コード６６との接続部分を収容する第５トレイである。ＦＴＴＨ回線用コード３１ｄとＦＴＴＨ専用コード６６とは、光コネクタアダプタ６７を介して接続されている。ＦＴＴＨ専用コード６６は、ＦＴＴＨ用の分岐部３２と接続されたＦＴＴＨ専用の光ファイバコードである。
【００５２】
図１３に示されるように、ＦＴＴＨ回線トレイ１６の中央部には、光コネクタアダプタ６７が収容されている。光コネクタアダプタ６７には、ＦＴＴＨ回線用コード３１ｄとＦＴＴＨ専用コード６６とがコネクタ接続されている。光コネクタアダプタ６７は、通常はフタ６８で覆われている。ＦＴＴＨ回線トレイ１６の両端部には、Ｒガイド部６９がそれぞれ設けられている。ＦＴＴＨ回線トレイ１６の両端部の手前側には、ＦＴＴＨ回線用コード３１ｄ及びＦＴＴＨ専用コード６６が導入される導入部７０（第３導入部）が設けられている。
【００５３】
図１４に示されるように、ＦＴＴＨ回線用コード３１ｄ及びＦＴＴＨ専用コード６６は、分岐トレイ１１からＦＴＴＨ回線トレイ１６に導かれ、光コネクタアダプタ６７にコネクタ接続されている。このとき、ＦＴＴＨ回線用コード３１ｄ及びＦＴＴＨ専用コード６６は、ＦＴＴＨ回線トレイ１６にＲガイド部６９に沿って収容されている。
【００５４】
以上のようなクロージャ１を現地に設置したときは、光ケーブル２の被覆を除去して露出された光ファイバテープ心線３と内部ファイバテープ心線２３とを融着接続すると共に、光ケーブル４の被覆を除去して露出された光ファイバテープ心線５と内部ファイバテープ心線２４とを融着接続する。つまり、クロージャ１の設置時には、テープ接続トレイ１０においてのみ作業が行われることになる。その後、加入者の数が一定の水準を超えたときは、ＣＡＴＶ回線トレイ１２，１３及び監視回線トレイ１４，１５において切替接続が実施される。
【００５５】
以上のように本実施形態にあっては、複数のファイバコード３１のうちのＣＡＴＶ回線用コード３１ａ，３１ｂと複数のファイバコード３３のうちのＣＡＴＶ回線用コード３３ａとの接続部分は、ＣＡＴＶ回線トレイ１２，１３に収容されている。複数のファイバコード３１のうちの監視回線用コード３１ｃと複数のファイバコード３３のうちの監視回線用コード３３ｂ，３３ｃとの接続部分は、監視回線トレイ１４，１５に収容されている。複数のファイバコード３１のうちのＦＴＴＨ回線用コード３１ｄとＦＴＴＨ専用コード６６との接続部分は、ＦＴＴＨ回線トレイ１６に収容されている。このようにＣＡＴＶ回線、監視回線及びＦＴＴＨ回線は、回線種別毎に異なるトレイに分離して収容されている。これにより、回線の識別性が高くなるため、回線の切替接続作業が行いやすくなる。
【００５６】
また、本実施形態では、トレイユニット７は、支持体６に手前側に引き出し可能に支持されており、テープ接続トレイ１０、分岐トレイ１１、ＣＡＴＶ回線トレイ１２，１３、監視回線トレイ１４，１５及びＦＴＴＨ回線トレイ１６は、上下方向に回動可能である。このため、例えば引き出し式のトレイを使用する場合と異なり、内部ファイバテープ心線２３，２４及びファイバコード３１，３３が手前側に引っ張られることがない。従って、異なるトレイ間における内部ファイバテープ心線２３，２４及びファイバコード３１，３３の引き連れが防止される。
【００５７】
また、本実施形態では、テープ接続トレイ１０がトレイユニット７の最上段に配置されているので、広い作業空間が確保される。従って、クロージャ１の設置時の接続作業が行いやすくなる。また、内部ファイバテープ心線２３，２４とファイバコード３１，３３とが交錯することがない。
【００５８】
また、本実施形態では、テープ接続トレイ１０の手前側には、光ファイバテープ心線３，５が導入される導入部２５，２６がそれぞれ設けられ、テープ接続トレイ１０の奥側には、内部ファイバテープ心線２３，２４が導入される導入部２７，２８がそれぞれ設けられている。分岐トレイ１１の手前側には、内部ファイバテープ心線２３，２４が導出される導出部３９，４０がそれぞれ設けられ、分岐トレイ１１の奥側には、ファイバコード３１，３３が導出される導出部４１が設けられている。このような構成により、テープ接続トレイ１０及び分岐トレイ１１において、異なる種類の光ファイバが混在して輻輳することが防止される。
【００５９】
また、本実施形態では、トレイユニット７は７段構造であるので、ＣＡＴＶ回線、監視回線及びＦＴＴＨ回線を使用形態に応じて適切に配線することができる。
【００６０】
また、本実施形態では、ＣＡＴＶ回線用コード３１ａ，３１ｂとＣＡＴＶ回線用コード３２ａとは、光カプラモジュール４３及び光スプリッタモジュール４５を介して接続され、光カプラモジュール４３はＣＡＴＶ回線トレイ１２に収容され、光スプリッタモジュール４５はＣＡＴＶ回線トレイ１３に収容されている。監視回線用コード３１ｃと監視回線用コード３３ｂ，３３ｃとは、光カプラモジュール５５及び光コネクタアダプタ５７を介して接続され、光カプラモジュール５５は監視回線トレイ１４に収容され、光コネクタアダプタ５７は監視回線トレイ１５に収容されている。このような構成により、ＣＡＴＶ回線及び監視回線を必要な数だけ効率良く配線することができる。また、ＦＴＴＨ回線は、ＣＡＴＶ回線及び監視回線に比べて接続切替作業を行う頻度が低い。従って、ＦＴＴＨ回線トレイ１６をトレイユニット７の最下段に配置するのが妥当である。
【００６１】
なお、上記の第１実施形態では、ＣＡＴＶ回線トレイ１３の一端側に、光スプリッタを有する光スプリッタモジュール４５が収容されているが、特にその形態には限られず、例えば１×２カプラを有する光カプラモジュールがＣＡＴＶ回線トレイ１３の両端側に収容されていてもよい。なお、１×２カプラを有する光カプラモジュールは、２×２カプラを有する光カプラモジュール４３とは構成が異なっている。
【００６２】
また、上記の第１実施形態では、ＣＡＴＶ回線トレイ１２，１３は、トレイユニット７の上から３段目及び４段目に配置され、監視回線トレイ１４，１５は、トレイユニット７の上から５段目及び６段目に配置されているが、特にその形態には限られず、トレイユニット７の上から３段目及び４段目に監視回線トレイ１４，１５が配置され、トレイユニット７の上から５段目及び６段目にＣＡＴＶ回線トレイ１２，１３が配置されていてもよい。
【００６３】
図１５は、本発明の第２実施形態に係る光ファイバ接続用クロージャを示す略正面図である。図１５において、本実施形態のクロージャ１は、上記の第１実施形態におけるトレイユニット７に代えて、トレイユニット７７を備えている。
【００６４】
トレイユニット７７は、図１６にも示されるように、テープ接続トレイ１０、分岐トレイ１１、ＣＡＴＶ回線トレイ７８、監視回線トレイ１４，１５、ＦＴＴＨ回線トレイ１６及び保留トレイ７９からなるトレイ群８０を有している。
【００６５】
ＣＡＴＶ回線トレイ７８は、トレイユニット７７の上から３段目に配置されている。監視回線トレイ１４，１５は、トレイユニット７７の上から４段目及び５段目に配置されている。ＦＴＴＨ回線トレイ１６は、トレイユニット７７の上から６段目に配置されている。保留トレイ７９は、トレイユニット７７の最下段に配置されている。テープ接続トレイ１０、分岐トレイ１１、監視回線トレイ１４，１５及びＦＴＴＨ回線トレイ１６については、上記の第１実施形態と同様である。
【００６６】
ＣＡＴＶ回線トレイ７８は、ＣＡＴＶ回線用コード３１ａ，３１ｂとＣＡＴＶ回線用コード３３ａとの接続部分を収容する第３トレイである。ＣＡＴＶ回線用コード３１ａ，３１ｂとＣＡＴＶ回線用コード３３ａとは、光スプリッタ８１（光部品）を介して接続されている。光スプリッタ８１は、例えば１×８スプリッタである。光スプリッタ８１の入力部８１ａ（図１８参照）は、ＣＡＴＶ回線用コード３１ａ，３１ｂと融着接続されている。光スプリッタ８１の入力部８１ａは、光スプリッタ８１の入力側の光ファイバである。光スプリッタ８１の出力部８１ｂ（図１８参照）は、ＣＡＴＶ回線用コード３３ａと融着接続されている。光スプリッタ８１の出力部８１ｂは、光スプリッタ８１の出力側の光ファイバである。
【００６７】
図１７に示されるように、ＣＡＴＶ回線トレイ７８の中央部には、光スプリッタ８１を固定するスプリッタ固定部８２が設けられている。スプリッタ固定部８２は、例えば３列構造を有している。ＣＡＴＶ回線トレイ７８の一端側には、ＣＡＴＶ回線用コード３１ａ，３１ｂと光スプリッタ８１の入力部８１ａとの融着接続部８３（図１８参照）を固定する融着固定部８４が設けられている。ＣＡＴＶ回線トレイ７８の他端側には、ＣＡＴＶ回線用コード３３ａと光スプリッタ８１の出力部８１ｂとの融着接続部８５（図１８参照）を固定する融着固定部８６が設けられている。融着固定部８４，８６は、例えば４列２段構造を有している。また、ＣＡＴＶ回線トレイ７８の中央部には、Ｒガイド部８７がスプリッタ固定部８２に隣接して設けられている。ＣＡＴＶ回線トレイ７８の両端部には、Ｒガイド部８８が融着固定部８４，８６に隣接してそれぞれ設けられている。
【００６８】
ＣＡＴＶ回線トレイ７８には、補助トレイ９０が開閉可能に連結されている。補助トレイ９０が閉じた状態では、Ｒガイド部８７が補助トレイ９０に覆われる（図１５参照）。補助トレイ９０には、伝送トラフィック増大時の負荷分散を目的として使用される予備の光スプリッタの入力側及び出力側の光ファイバが収容されている。
【００６９】
ＣＡＴＶ回線トレイ７８の一端部の手前側には、ＣＡＴＶ回線用コード３１ａ，３１ｂが導入される導入部９１（第３導入部）が設けられている。ＣＡＴＶ回線トレイ７８の他端部の手前側には、ＣＡＴＶ回線用コード３３ａが導入される導入部９２（第３導入部）が設けられている。
【００７０】
保留トレイ７９は、保留回線用コード３３ｄを収容する第６トレイである。保留トレイ７９の一端側には、空の保留用モジュール９３が収容されている。保留用モジュール９３には、保留回線用コード３３ｄがコネクタ接続されている。保留トレイ７９の中央部には、Ｒガイド部９４が設けられている。保留トレイ７９の両端部の手前側には、保留回線用コード３３ｄが導入される導入部９５（図１８参照）が設けられている。
【００７１】
図１８に示されるように、ＣＡＴＶ回線用コード３１ａ，３１ｂは、分岐トレイ１１からＣＡＴＶ回線トレイ７８に導かれ、光スプリッタ８１の入力部８１ａと融着接続されている。このとき、ＣＡＴＶ回線用コード３１ａ，３１ｂ及び光スプリッタ８１の入力部８１ａは、ＣＡＴＶ回線トレイ７８にＲガイド部８８に沿って収容されている。ＣＡＴＶ回線用コード３３ａは、分岐トレイ１１からＣＡＴＶ回線トレイ７８に導かれ、光スプリッタ８１の出力部８１ｂと融着接続されている。このとき、ＣＡＴＶ回線用コード３３ａは、ＣＡＴＶ回線トレイ７８にＲガイド部８８に沿って収容され、光スプリッタ８１の出力部８１ｂは、ＣＡＴＶ回線トレイ７８にＲガイド部８７に沿って収容されている。
【００７２】
また、保留回線用コード３３ｄは、分岐トレイ１１から保留トレイ７９に導かれ、保留用モジュール９３にコネクタ接続されている。このとき、保留回線用コード３３ｄは、ＣＡＴＶ回線トレイ７８にＲガイド部９４に沿って収容されている。
【００７３】
以上のように本実施形態においても、ＣＡＴＶ回線、監視回線及びＦＴＴＨ回線は、回線種別毎に異なるトレイに分離して収容されている。これにより、回線の識別性が高くなるため、回線の切替接続作業が行いやすくなる。
【００７４】
また、本実施形態では、ＣＡＴＶ回線用コード３１ａ，３１ｂとＣＡＴＶ回線用コード３３ａとは、光スプリッタ８１を介して接続され、監視回線用コード３１ｃと監視回線用コード３３ｂ，３３ｃとは、光カプラモジュール５５及び光コネクタアダプタ５７を介して接続されている。このような構成により、ＣＡＴＶ回線及び監視回線を必要な数だけ効率良く配線することができる。また、保留回線用コード３３ｄは設置当初は通常使用されないため、保留トレイ７９をトレイユニット７７の最下段に配置するのが好ましい。
【００７５】
また、本実施形態では、ＣＡＴＶ回線用コード３１ａ，３１ｂと光スプリッタ８１の入力部８１ａとは融着接続され、ＣＡＴＶ回線用コード３３ａと光スプリッタ８１の出力部８１ｂとは融着接続されている。このような構成により、クロージャ１内のＣＡＴＶ回線を伝送する際のロスが低下するため、信号到達距離を改善する（より長くする）ことができる。
【００７６】
なお、上記の第２実施形態では、ＣＡＴＶ回線トレイ７８は、トレイユニット７７の上から３段目に配置され、監視回線トレイ１４，１５は、トレイユニット７７の上から４段目及び５段目に配置されているが、特にその形態には限られず、トレイユニット７７の上から３段目及び４段目に監視回線トレイ１４，１５が配置され、トレイユニット７７の上から５段目にＣＡＴＶ回線トレイ７８が配置されていてもよい。
【００７７】
本発明は、上記実施形態には限定されない。例えば上記実施形態では、トレイユニットの段数は７段であるが、特にその形態には限られず、トレイユニットがテープ接続トレイ、分岐トレイ、ＣＡＴＶ回線トレイ、監視回線トレイ及びＦＴＴＨ回線トレイを有していれば、トレイユニットの段数としては、５段または６段でもよいし、或いは８段以上であってもよい。
【符号の説明】
【００７８】
１…クロージャ（光ファイバ接続用クロージャ）、２…光ケーブル（第１光ケーブル）、３…光ファイバテープ心線（第１光ファイバテープ心線）、４…光ケーブル（第２光ケーブル）、５…光ファイバテープ心線（第２光ファイバテープ心線）、６…支持体、７…トレイユニット、１０…テープ接続トレイ（第１トレイ）、１１…分岐トレイ（第２トレイ）、１２…ＣＡＴＶ回線トレイ（第３トレイ）、１３…ＣＡＴＶ回線トレイ（第３トレイ）、１４…監視回線トレイ（第４トレイ）、１５…監視回線トレイ（第４トレイ）、１６…ＦＴＴＨ回線トレイ（第５トレイ）、２３…内部ファイバテープ心線（第１内部ファイバテープ心線）、２４…内部ファイバテープ心線（第２内部ファイバテープ心線）、２５，２６…導入部（第１導入部）、２７，２８…導入部（第２導入部）、３１…ファイバコード（第１ファイバコード）、３１ａ，３１ｂ…ＣＡＴＶ回線用コード（第１ＣＡＴＶ回線用コード）、３１ｃ…監視回線用コード（第１監視回線用コード）、３１ｄ…ＦＴＴＨ回線用コード、３２…分岐部（第１分岐部）、３３…ファイバコード（第２ファイバコード）、３３ａ…ＣＡＴＶ回線用コード（第２ＣＡＴＶ回線用コード）、３３ｂ，３３ｃ…監視回線用コード（第２監視回線用コード）、３３ｄ…保留回線用コード、３４…分岐部（第２分岐部）、３９，４０…導出部（第１導出部）、４１…導出部（第２導出部）、４３…光カプラモジュール（第１光部品モジュール）、４５…光スプリッタモジュール（第１光部品モジュール）、４８，４９…導入部（第３導入部）、５２，５３…導入部（第３導入部）、５５…光カプラモジュール（第２光部品モジュール）、５７…光コネクタアダプタ、５９…導入部（第３導入部）、６２…導入部（第３導入部）、７０…導入部（第３導入部）、７７…トレイユニット、７８…ＣＡＴＶ回線トレイ（第３トレイ）、７９…保留トレイ（第６トレイ）、８１…光スプリッタ（光部品）、８１ａ…入力部、８１ｂ…出力部、９１，９２…導入部（第３導入部）。
【図１】
2019168544.tif 000003
【図２】
2019168544.tif 000004
【図３】
2019168544.tif 000005
【図４】
2019168544.tif 000006
【図５】
2019168544.tif 000007
【図６】
2019168544.tif 000008
【図７】
2019168544.tif 000009
【図８】
2019168544.tif 000010
【図９】
2019168544.tif 000011
【図１０】
2019168544.tif 000012
【図１１】
2019168544.tif 000013
【図１２】
2019168544.tif 000014
【図１３】
2019168544.tif 000015
【図１４】
2019168544.tif 000016
【図１５】
2019168544.tif 000017
【図１６】
2019168544.tif 000018
【図１７】
2019168544.tif 000019
【図１８】
2019168544.tif 000020